(57)【要約】【課題】均一でむらのない照光が可能であり、操作者が操作時に疲労感を感じない照光式スイッチを提供する。【解決手段】照光式スイッチであって、透過性部材からなる筒状筐体（ハウジング）２と、この筒状筐体２の下部に配置されるプリント基板７と、前記筒状筐体２の内側に配置され、可動可能な操作部１と、前記基板７に実装され、前記操作部１により操作されるスイッチ素子８と、前記プリント基板７の周囲であって、照射方向が水平方向になるように配置される複数個の発光素子９とを具備し、前記筒状筐体２の底部の内側壁面４から発光素子９からの照射光を入射させ、この入射した光を前記筒状筐体２の底部の外側傾斜部５で前記筒状筐体２の軸方向に反射させ、前記筒状筐体２の円周状の上面をむらがなく均一に照光するようにした。【選択図】図１
2005243322.tif 000002
【特許請求の範囲】
【請求項１】
（ａ）透過性部材からなる筒状筐体と、
（ｂ）該筒状筐体の下部に配置される基板と、
（ｃ）前記筒状筐体の内側に配置される可動の操作部と、
（ｄ）前記基板に実装され、前記操作部により操作されるスイッチ素子と、
（ｅ）前記基板の周囲に照射方向が略水平方向に配置される複数個の発光素子とを具備し、
（ｆ）前記筒状筐体の底部の内側壁面から前記発光素子の照射光を入射させ、該入射した光を前記筒状筐体の底部の外側傾斜部で前記筒状筐体の軸方向に反射させ、前記筒状筐体の円周状の上面を照光することを特徴とする照光式スイッチ。
【請求項２】
請求項１記載の照光式スイッチにおいて、前記基板の表面にスイッチ素子を実装し、前記基板の裏面の略中央部にコネクタを実装し、該コネクタを略中心にしてその周囲に点対称配列となるように前記発光素子を配置することを特徴とする照光式スイッチ。
【請求項３】
請求項１又は２記載の照光式スイッチにおいて、前記複数個の発光素子は相互干渉を回避するために、同一円周上に等間隔に４個配置することを特徴とする照光式スイッチ。
【請求項４】
請求項１、２又は３記載の照光式スイッチにおいて、前記発光素子が青色ＬＥＤ素子であることを特徴とする照光式スイッチ。
【請求項５】
請求項１、２、３又は４記載の照光式スイッチにおいて、前記筒状筐体は透明部材に少量の拡散部材を混合させるとともに、前記筒状筐体の底部の外側傾斜部に梨地面を設けたことを特徴とする照光式スイッチ。
【請求項６】
請求項１、２、３、４又は５記載の照光式スイッチにおいて、前記スイッチ素子の動作に伴って点灯する他の発光素子を配置し、前記筒状筐体の照光と併せて前記操作部をも照光することを特徴とする照光式スイッチ。
【請求項７】
請求項６記載の照光式スイッチにおいて、前記他の発光素子が前記スイッチ素子の上部に配置されることを特徴とする照光式スイッチ。
【請求項８】
請求項６又は７記載の照光式スイッチにおいて、前記他の発光素子が基板上面のスイッチ素子の周囲に配置される発光素子を有することを特徴とする照光式スイッチ。
【請求項９】
請求項６、７又は８記載の照光式スイッチにおいて、前記他の発光素子の上部の作動板に照射光を貫通する開口部を形成することを特徴とする照光式スイッチ。
【請求項１０】
請求項１、２、３、４又は５記載の照光式スイッチにおいて、前記照光スイッチの高さを低くし、パネル背面の突出量を抑えるようにしたことを特徴とする照光式スイッチ。
【請求項１１】
請求項１、２、３、４又は５記載の照光式スイッチにおいて、前記発光素子が搭載された基板を筒状筐体に固定する際、タッピングネジが前記発光素子の光軸の妨げとならないように、筒状筐体内に突起部を設け、陰影発生を抑えることを特徴とする照光式スイッチ。
【発明の詳細な説明】
【技術分野】
【０００１】
本発明は、照光式スイッチに係り、特に、操作部外周面を均一に照光することができる照光式スイッチに関するものである。
【背景技術】
【０００２】
従来、照光式スイッチの照光には発光素子を用いているが、通常、その発光素子の直接光により照光部の照光が行われている。
【特許文献１】実開昭６２−４８６２６号公報
【発明の開示】
【発明が解決しようとする課題】
【０００３】
しかしながら、上記した従来の照光式スイッチにおいては、照光部の照光が均一ではなく、むらが生じるといった問題があった。
【０００４】
特に、頻繁に操作される照光式スイッチにあっては、その照光むらによって操作者が疲労を感じることがあった。そのため、均一でむらのない照光が可能な照光式スイッチが要望されるようになってきている。
【０００５】
本発明は、上記状況に鑑みて、均一でむらのない照光が可能であり、操作者が疲労を感じることがなく、むしろ操作者の眼にやさしく、視覚的に美しい照光式スイッチを提供することを目的とする。
【課題を解決するための手段】
【０００６】
本発明は、上記目的を達成するために、
〔１〕照光式スイッチにおいて、透過性部材からなる筒状筐体と、この筒状筐体の下部に配置される基板と、前記筒状筐体の内側に配置される可動の操作部と、前記基板に実装され、前記操作部により操作されるスイッチ素子と、前記基板の周囲に照射方向が略水平方向に配置される複数個の発光素子とを具備し、前記筒状筐体の底部の内側壁面から前記発光素子の照射光を入射させ、該入射した光を前記筒状筐体の底部の外側傾斜部で前記筒状筐体の軸方向に反射させ、前記筒状筐体の円周状の上面を照光することを特徴とする。
【０００７】
〔２〕上記〔１〕記載の照光式スイッチにおいて、前記基板の表面にスイッチ素子を実装し、前記基板の裏面の略中央部にコネクタを実装し、このコネクタを略中心にしてその周囲に点対称配列となるように前記発光素子を配置することを特徴とする。
【０００８】
〔３〕上記〔１〕又は〔２〕記載の照光式スイッチにおいて、前記複数個の発光素子は相互干渉を回避するために、同一円周上に等間隔に４個配置することを特徴とする。
【０００９】
〔４〕上記〔１〕、〔２〕又は〔３〕記載の照光式スイッチにおいて、前記発光素子が青色ＬＥＤ素子であることを特徴とする。
【００１０】
〔５〕上記〔１〕、〔２〕、〔３〕又は〔４〕記載の照光式スイッチにおいて、前記筒状筐体は透明部材に少量の拡散部材を混合させるとともに、前記筒状筐体の底部の外側傾斜部に梨地面を設けたことを特徴とする。
【００１１】
〔６〕上記〔１〕、〔２〕、〔３〕、〔４〕又は〔５〕記載の照光式スイッチにおいて、前記スイッチ素子の動作に伴って点灯する他の発光素子を配置し、前記筒状筐体の照光と併せて前記操作部をも照光することを特徴とする。
【００１２】
〔７〕上記〔６〕記載の照光式スイッチにおいて、前記他の発光素子が前記スイッチ素子の上部に配置されることを特徴とする。
【００１３】
〔８〕上記〔６〕又は〔７〕記載の照光式スイッチにおいて、前記他の発光素子が基板上面のスイッチ素子の周囲に配置される発光素子を有することを特徴とする。
【００１４】
〔９〕上記〔６〕、〔７〕又は〔８〕記載の照光式スイッチにおいて、前記他の発光素子の上部の作動板に照射光を貫通する開口部を形成することを特徴とする。
【００１５】
〔１０〕上記〔１〕、〔２〕、〔３〕、〔４〕又は〔５〕記載の照光式スイッチにおいて、前記照光スイッチの高さを低くし、パネル背面の突出量を抑えるようにしたことを特徴とする。
【００１６】
〔１１〕上記〔１〕、〔２〕、〔３〕、〔４〕又は〔５〕記載の照光式スイッチにおいて、前記発光素子が搭載された基板を筒状筐体に固定する際、タッピングネジが前記発光素子の光軸の妨げとならないように、筒状筐体内に突起部を設け、前記筒状筐体の円周状の上面への陰影発生を抑えることを特徴とする。
【発明の効果】
【００１７】
（１）筒状筐体底部の内側壁面に入光部を設けて発光素子の発光面を対向させ、しかも筒状筐体底部の外側面に反射面を周設して前記発光素子からの入光を筒状筐体の軸方向に屈折反射させて筒状筐体の円周状の上面部を集中的に発光させるようにしたので、少ない発光素子数で均一なフランジ照光を行うことができる。
【００１８】
（２）照光用発光素子に加え、スイッチの動作に伴う発光素子を配置するようにした場合には、筒状筐体の円周状の上面部と操作部の両方を照光することができ、一つのスイッチで多くの操作形態を表現することができる。
【００１９】
（３）コネクタを基板の略中央部に配設するとともに、複数の発光素子をコネクタを略中心に点対称配列するようにしたので、コネクタの陰影が照光面の影となることを回避することができ、むらのない照光面を得ることができる。
【００２０】
（４）同一円周上に４個の発光素子を等しい間隔で配置するようにしたので、発光素子の相互干渉も回避することができる。
【００２１】
（５）スイッチ素子と発光素子を基板の表裏に分離配設したので、スイッチ素子上だけでなく、スイッチ素子の外周にも発光素子を搭載することが可能となり、さらにスイッチの表現の幅を広げることができる。
【００２２】
（６）筒状筐体は透過性部材に少量の拡散部材を混合させるとともに反射面外部に梨地面を設けるようにしたので、極めて均一で美しい照光を実現することができる。
【００２３】
（７）照光スイッチの高さを低くし、パネル背面の突出量を抑え、搭載数の少ない発光素子の配置を工夫したので光量の拡散距離を稼ぐようにすることができる。
【００２４】
（８）発光素子が搭載されたプリント基板を筒状筐体に固定する際、タッピングネジが発光素子の光軸の妨げとならないように、筒状筐体内に突起部を設けるようにしたので、前記筒状筐体の円周状の上面への陰影発生を抑えることができる。
【００２５】
したがって、照光スイッチの外輪を均一に照光させることができる。また、筒状筐体が短胴にするとともに均一な照光を行わせることができる。
【発明を実施するための最良の形態】
【００２６】
照光式スイッチにおいて、透過性部材からなる筒状筐体と、この筒状筐体の下部に配置される基板と、前記筒状筐体の内側に配置される可動の操作部と、前記基板に実装され、前記操作部により操作されるスイッチ素子と、前記基板の周囲に照射方向が水平方向になるように配置される複数個の発光素子とを具備し、前記筒状筐体の底部の内側壁面から前記発光素子の照射光を入射させ、該入射した光を前記筒状筐体の底部の外側傾斜部で前記筒状筐体の軸方向に反射させ、前記筒状筐体の円周状の上面を照光する。よって、均一でむらのない照光が可能であり、操作者が疲労を感じることがなく、むしろ操作者の眼にやさしく、視覚的に美しい照光式スイッチを提供する。
【実施例１】
【００２７】
本発明の実施の形態について図面を参照して詳細に説明する。
【００２８】
図１は本発明の実施例１を示す照光式スイッチの断面図、図２はその照光式スイッチの筒状筐体底部をカットした基板上の発光素子及びコネクタの配置を示す図、図３はその照光式スイッチの分解斜視図、図４はその発光素子の配置を示す図、図５はその照光式スイッチの回路図、図６はその照光式スイッチの上面図、図７はその照光式スイッチの側面図である。
【００２９】
これらの図において、１は照光式スイッチの操作部としてのボタン、２は筒状筐体（ハウジング）であり、３はその筒状筐体２の底面部（図２ではカットされている）、４はその筒状筐体２の内側壁面、５はその筒状筐体２の外側傾斜部、６はボタン１によって押し下げられる作動板、６Ａはその作動板６に形成される舌状の作動片、７はプリント基板、８はスイッチ素子（機構的スイッチ部品）、９は発光素子としての発光ダイオードであり、プリント基板７の裏面に実装される。１０はチップ抵抗であり、プリント基板７の表面に実装される。１１はコネクタ（４Ｐ）、１２，１５はタッピングネジ、１３はスペーサ、１４は平座金、１６はタッピングネジ１５を固定する突起部、２１は筒状筐体２の円周状の上面部である。
【００３０】
ここに示したように、照光式スイッチにおいて、筒状筐体２は透過性部材からなり、この筒状筐体２の下部にはプリント基板７が配置される。また、筒状筐体２の内側には操作部１がスイッチを操作できるように可動に配置される。プリント基板７の表面には操作部１により操作されるスイッチ素子８が配置される。更に、プリント基板７の裏面に照射方向が水平方向になるように複数個（ここでは、４個）の発光素子９が配置される。この発光素子９は、プリント基板７の裏面の中央部に実装されるコネクタ１１を中心にして、その周囲に点対称配列となるように配置されている。
【００３１】
ここでは、照光スイッチの高さを低くし、パネル背面の突出量を抑え、搭載数の少ない発光素子の配置を工夫したので光量の拡散距離を稼ぐようにしている。
【００３２】
したがって、照光スイッチの円周状の上面を均一に照光させることができる。また、筒状筐体が短胴にするとともに均一な照光を行わせることができる。
【００３３】
更に、発光素子９は、図４に示すように、相互干渉を回避するために、同一円周上に等間隔で４個配置するのが望ましい。
【００３４】
そして、この発光素子９を点灯させると、透過性部材からなる筒状筐体２に、その底部の内側壁面４から発光素子９の照射光が入射し、この入射した光は筒状筐体２の底部の外側傾斜部５で筒状筐体２の軸方向に反射し、筒状筐体２の円周状の上面部２１を照光する。
【００３５】
このように、４個の均等配置された発光素子９による筒状筐体２を介した間接照明により、むらのない均一な照光を筒状筐体２の円周状の上面部２１に実現する、フランジ照光を行うことができる。なお、発光素子９の個数は、４個に限定されるものではなく複数個であればよく、例えば、２個や３個であってもよい。
【００３６】
また、発光素子９を青色ＬＥＤ素子とすることにより、疲れにくく目にやさしい照光式スイッチを得ることができる。当然ながら、上記実施例は、青色ＬＥＤ素子に限定されるものではなく、青色以外の赤色、黄色、緑色、白色の発光素子を用いるようにしてもよい。
【００３７】
また、発光素子９が搭載されたプリント基板７を筒状筐体２に固定する際、タッピングネジ１５が発光素子９の光軸の妨げとならないように筒状筐体２内に突起部１６を設けるようにしたので、前記筒状筐体２の円周状の上面２１に陰影が発生するのを抑えることができる。
【００３８】
更に、筒状筐体２を構成する透過性部材に少量の拡散部材を混合させるとともに、筒状筐体２の底部の外側傾斜部５に梨地面を施すことにより、より淡くむらのない均一な照光を筒状筐体２の円周状の上面部２１に実現することができる。  そして、この照光式スイッチの回路は、図５に示すように、コネクタ（４Ｐ）１１から、チップ抵抗１０を介して発光ダイオード９に接続されるとともに、スイッチ素子８へ接続されるようになっている。
【実施例２】
【００３９】
図８は本発明の実施例２を示す照光式スイッチの断面図、図９はその作動板の平面図である。
【００４０】
これらの図において、１０１は透過性部材からなる照光式スイッチの操作部としてのボタン、１０２は筒状筐体（ハウジング）、１０３はその筒状筐体１０２の底面部、１０４はその筒状筐体１０２の内側壁面、１０５はその筒状筐体の外側傾斜部、１０６はボタン１０１によって押し下げられる作動板、１０６Ａはその作動板１０６に形成される、中央部があけられ、光を導くための開口部１０６Ｂを有する４本の作動片、１０７はプリント基板、１０８はスイッチ素子（機構的スイッチ部品）、１０９は発光素子としての発光ダイオードであり、プリント基板１０７の裏面に実装される。１１０はチップ抵抗であり、プリント基板１０７の表面に実装される。１１１はコネクタ（４Ｐ）、１１２，１１５はタッピングネジ、１１３はスペーサ、１１４は平座金、１１６はスイッチ素子１０８の動作に伴って点灯する他の発光素子、１１７はタッピングネジ１１５を固定する突起部、１２１は筒状筐体１０２の円周状の上面部である。
【００４１】
この実施例では、実施例１に加えて、ボタン１０１も透過性部材からなり、スイッチ素子１０８の動作に伴って点灯する他の発光素子１１６がプリント基板１０７上にも配置されており、その発光素子１１６から照光される光は、その上部の作動板１０６に形成される開口部１０６Ｂを通ってボタン１０１の裏面に至り、ボタン１０１の照光表示をも行うことができる。
【００４２】
このように、作動板１０６に開口部１０６Ｂを形成することにより、スイッチ素子１０８の上部に作動板１０６が配置されていても、その照光に当たっては何ら支障になることはない。
【００４３】
上記のように、照光用発光素子に加え、スイッチの動作に伴う発光素子を配置するようにしたので、筒状筐体の円周状の上面部と操作部の両方を照光させることができ、一つのスイッチで多くの操作形態を表現することができる。
【００４４】
上記実施例では、発光素子（照光用の発光素子とは他の発光素子）１１６がスイッチ素子１０８の上部に配置されるようにしているが、これに限定されるものではなく、プリント基板１０７の上面であって、スイッチ素子１０８の外周に複数個配置するようにしてもよい。
【００４５】
なお、本発明は上記実施例に限定されるものではなく、本発明の趣旨に基づき種々の変形が可能であり、これらを本発明の範囲から排除するものではない。
【産業上の利用可能性】
【００４６】
本発明は、均一でむらのない照光を行うことができる照光式スイッチに適している。
【図面の簡単な説明】
【００４７】
【図１】本発明の実施例１を示す照光式スイッチの断面図である。
【図２】本発明の実施例１を示す照光式スイッチの筒状筐体底部をカットした基板上の発光素子及びコネクタの配置を示す図である。
【図３】本発明の実施例１を示す照光式スイッチの分解斜視図である。
【図４】本発明の実施例１を示す照光式スイッチの発光素子の配置を示す図である。
【図５】本発明の実施例１を示す照光式スイッチの回路図である。
【図６】本発明の実施例１を示す照光式スイッチの上面図である。
【図７】本発明の実施例１を示す照光式スイッチの側面図である。
【図８】本発明の実施例２を示す照光式スイッチの断面図である。
【図９】本発明の実施例２を示す照光式スイッチの作動板の平面図である。
【符号の説明】
【００４８】
１，１０１    ボタン（操作部）
２，１０２    筒状筐体（ハウジング）
３，１０３    筒状筐体の底面部
４，１０４    筒状筐体の内側壁面
５，１０５    筒状筐体の外側傾斜部
６，１０６    作動板
６Ａ    舌状の作動片
７，１０７    プリント基板
８，１０８    スイッチ素子（機構的スイッチ部品）
９，１０９    発光ダイオード（発光素子）
１０，１１０    チップ抵抗
１１，１１１    コネクタ（４Ｐ）
１２，１５，１１２，１１５    タッピングネジ
１３，１１３    スペーサ
１４，１１４    平座金
１６，１１７    突起部
２１，１２１    筒状筐体の円周状の上面部
１０６Ａ    ４本の作動片
１０６Ｂ    開口部
１１６    他の発光素子
【図１】
2005243322.tif 000003
【図２】
2005243322.tif 000004
【図３】
2005243322.tif 000005
【図４】
2005243322.tif 000006
【図５】
2005243322.tif 000007
【図６】
2005243322.tif 000008
【図７】
2005243322.tif 000009
【図８】
2005243322.tif 000010
【図９】
2005243322.tif 000011